(57)【要約】【課題】外部配管の接続が容易なように筐体内に温水暖房用のヘッダを強固に取り付ける。【解決手段】基端３８ａに配管を接続する接続部３８ｃを有し、Ｌ字型の流路の終端３８ｂ側にフランジ３８ｄを有したエルボ部３８の終端３８ｂと、終端３９ｂが閉塞され下面に複数の分岐接続口３９ｃを有し、基端３９ａ側にフランジ３９ｄを有した筒状のヘッダ部３９の基端３９ａとが組み合わされたヘッダ３７を、前記複数の分岐接続口３９ｃに対応する位置に接続口挿通穴８ａが設けられた配管取付板８上に配置して筐体７に内蔵した温水暖房装置において、ヘッダ３７の上から被せられて配管取付板８にねじ止め固定されてヘッダ３７を固定する固定板４０を設け、固定板４０のエルボ部３８のフランジ３８ｄとヘッダ部３９のフランジ３９ｄの合わせ位置に両フランジのフランジ面を押さえるためのフランジ固定穴４０ｇを設けた。【選択図】図４
2014016121.tif 000002
【特許請求の範囲】
【請求項１】
基端に配管を接続する接続部を有し、Ｌ字型の流路の終端側にフランジを有したエルボ部の終端と、終端が閉塞され下面に複数の分岐接続口を有し、基端側にフランジを有した筒状のヘッダ部の基端とが組み合わされたヘッダを、前記複数の分岐接続口に対応する位置に接続口挿通穴が設けられた配管取付板上に配置して筐体に内蔵した温水暖房装置において、前記ヘッダの上から被せられて前記配管取付板にねじ止め固定されて前記ヘッダを固定する固定板を設け、前記固定板の前記エルボ部のフランジと前記ヘッダ部のフランジの合わせ位置に両フランジのフランジ面を押さえるためのフランジ固定穴を設けたことを特徴とする温水暖房装置。
【請求項２】
前記固定板は、前記ヘッダの長手方向の両端側に前記配管取付板にねじ止めされる取付片を有したものであることを特徴とする請求項１記載の温水暖房装置。
【請求項３】
前記配管取付板の前記ヘッダが配置されるヘッダ載置面を下方に窪ませたことを特徴とする請求項２記載の温水暖房装置。
【発明の詳細な説明】
【技術分野】
【０００１】
本発明は、筐体内にヘッダを内蔵した温水暖房装置に関する。
【背景技術】
【０００２】
従来よりこの種の暖房装置においては、特許文献１に開示されているように、配管取付板上に熱動弁付往きヘッダと戻りヘッダを内蔵した給湯暖房装置が知られている。
【０００３】
またヘッダとしては、特許文献２に開示されているように、基端に配管を接続する接続部を有し、Ｌ字型の流路の終端部にフランジを有したエルボ部と、終端が閉塞され下面に複数の分岐口を有し、基端部にフランジを有した筒状のヘッダ部と、エルボ部の終端にヘッダ部の基端が組み合わされた状態でクイックファスナによって両者のフランジを挟着するようにしたものが知られている。
【先行技術文献】
【特許文献】
【０００４】
【特許文献１】特開２００４−１７７０２９号公報
【特許文献２】特開２０００−２９７９４１号公報
【発明の概要】
【発明が解決しようとする課題】
【０００５】
しかし、このような公知のヘッダを配管取付板上に配置しようとすると、クイックファスナがあるために、クイックファスナの突出分だけヘッダと配管取付板との間に隙間を空けざるを得ず、そのために分岐接続口の配管取付板からの突出量が少なくなり、分岐接続口に外部配管を接続する作業が困難になってしまうと共に、ヘッダの固定が不十分となり、外部配管の接続作業時にヘッダがぐらつき作業が困難となってしまうという問題があった。
【課題を解決するための手段】
【０００６】
本発明は上記課題を解決するため、基端に配管を接続する接続部を有し、Ｌ字型の流路の終端側にフランジを有したエルボ部の終端と、終端が閉塞され下面に複数の分岐接続口を有し、基端側にフランジを有した筒状のヘッダ部の基端とが組み合わされたヘッダを、前記複数の分岐接続口に対応する位置に接続口挿通穴が設けられた配管取付板上に配置して筐体に内蔵した温水暖房装置において、前記ヘッダの上から被せられて前記配管取付板にねじ止め固定されて前記ヘッダを固定する固定板を設け、前記固定板の前記エルボ部のフランジと前記ヘッダ部のフランジの合わせ位置に両フランジのフランジ面を押さえるためのフランジ固定穴を設けた。
【０００７】
また、前記固定板は、前記ヘッダの長手方向の両端側に前記配管取付板にねじ止めされる取付片を有したものである。
【０００８】
また、前記配管取付板の前記ヘッダが配置されるヘッダ載置面を下方に窪ませた。
【発明の効果】
【０００９】
本発明によれば、ヘッダのエルボ部とヘッダ部との分離を固定板の長穴によって規制できるためクイックファスナが不要となり、ヘッダと配管取付板との間の隙間が不要となって分岐接続口の配管取付板からの突出量が多くなると共に、ヘッダが配管取付板に対して強固に固定されるため、分岐接続口への外部配管の接続作業が容易かつ安定的に行えるようになった。
【図面の簡単な説明】
【００１０】
【図１】本発明の一実施形態の給湯暖房装置の概略構成図
【図２】同一実施形態の一部を省略した回路図
【図３】同一実施形態の要部の分解斜視図
【図４】同一実施形態の要部の組み付け状態の斜視図
【図５】同一実施形態の要部の組み付け状態の別角度での斜視図
【発明を実施するための形態】
【００１１】
次に、本発明を図面に示した一実施形態の貯湯式給湯暖房装置に基づいて説明する。
１は高温水を貯湯する貯湯タンク２を備えたタンクユニット、３は貯湯タンク２内の湯水を大気の熱を汲み上げて加熱するヒートポンプユニット、４は給湯栓、５は浴槽、６は貯湯タンク２内の湯水を熱源とした温水が循環されて暖房を行う温水暖房端末である。ここでは温水暖房端末６を一つしか示していないが、複数の温水暖房端末６がタンクユニット１に接続されている。
【００１２】
タンクユニット１は、前面を開放して天面、背面、両側面、底面を覆う筐体７、タンクユニット１内の配管とこれらに対応した外部配管とを接続する接続口が集中して設けられ、かつ筐体７の最低面から少し高い位置に前面側に突出するように設けられる配管取付板８、筐体７の開放された前面を着脱容易に覆う前パネル９、タンクユニット１を支える支持脚１０を有して構成されているものである。
【００１３】
次に、タンクユニット１について図２の回路図に基づいて説明する。
１１は貯湯タンク２底部に給水する給水管、１２は貯湯タンク２上部から出湯する出湯管、１３は給水管１１から分岐された給水バイパス管、１４は出湯管１２からの湯と給水バイパス管１３からの水を所望の給湯設定温度に混合する給湯混合弁、１５は給湯混合弁１４からの湯水を給湯栓４に供給するための給湯管、１６は給湯管１５を流れる湯水の量を検出する給湯流量センサ、１７は給湯管１５を流れる湯水の温度を検出する給湯温度センサである。
【００１４】
１８は貯湯タンク２内の湯水を熱源として浴槽５内の湯水を加熱するための風呂熱交換器、１９は浴槽５と風呂熱交換器１８とを湯水が循環可能に接続する風呂循環回路、２０は風呂循環回路１９途中に設けられた風呂循環ポンプ、２１は浴槽水の温度を検出する風呂温度センサ、２２は浴槽５内の水位を検出するための圧力センサである。
【００１５】
２３は給湯管１５から分岐されて風呂循環回路１９に接続された湯はり管、２４は湯はり管２３の流路を開閉する湯はり電磁弁、２５は湯はり管２３を流れる湯水の量を検出する湯はり流量センサ、２６は湯はり管２３を流れる湯水の温度を検出する湯はり温度センサである。
【００１６】
２７は貯湯タンク２底部とヒートポンプユニット３の入口を接続する加熱往き管、２８はヒートポンプユニット３の出口を貯湯タンク２上部を接続する加熱戻り管であり、ヒートポンプユニット３内に設けられた加熱循環ポンプ（図示せず）によって貯湯タンク２底部から取り出した水を加熱して貯湯タンク２上部へ戻すようにして貯湯タンク２内の湯水を沸き上げるようにしている。
【００１７】
２９は貯湯タンク２内の湯水を熱源として外部の非加熱水である暖房循環水を加熱するための暖房熱交換器、３０は貯湯タンク２上部と暖房熱交換器２９一次側の入口を接続する一次側往き管、３１は暖房熱交換器２９一次側の出口と貯湯タンク２中間部を接続する一次側戻り管、３２は貯湯タンク２内の湯水を暖房熱交換器２９の一次側に導いて循環させる非自給式の一次側循環ポンプである。
【００１８】
３３は複数の温水暖房端末６の出口側と暖房熱交換器２９二次側の入口を接続する二次側戻り管、３４は暖房熱交換器２９二次側の出口と複数の温水暖房端末６の入口を接続する二次側往き管、３５は暖房循環水を暖房熱交換器２９の二次側に導いて循環させる非自給式の二次側循環ポンプ、３６は二次側往き管３４と複数の温水暖房端末６との間に介在され、暖房循環水を複数の温水暖房端末６へ分岐させる暖房用熱動弁付ヘッダ、３７は二次側戻り管３３と複数の温水暖房端末６との間に介在され、複数の温水暖房端末６からの暖房循環水を合流させる戻りヘッダである。
【００１９】
ここで、戻りヘッダ３７は樹脂製で、図３に示すように、基端３８ａに機内配管を接続する接続部３８ｃを有したＬ字型の流路を形成するエルボ部３８と、終端３９ｂが閉塞されて下面に外部配管を接続する複数（ここでは４口）の分岐接続口３９ｃを有した円筒状のヘッダ部３９とで構成され、エルボ部３８の終端３８ｂにヘッダ部３９の基端３９ａが挿入され、エルボ部３８の終端３８ｂとヘッダ部３９の基端３８ａのそれぞれに設けられたフランジ３８ｄ、３９ｄとが隣接され、配管取付板８上に載置されて固定板４０にて固定されるものである。
【００２０】
また、エルボ部３８およびヘッダ部３９の外周には、強度向上のためのリブが縦横に複数設けられていると共に、エルボ部３８の下端にはＬ字状の流路から分岐して水抜き栓３８ｅが設けられている。
【００２１】
固定板４０は、配管取付板８上に配置された戻りヘッダ３７に上から被せられて戻りヘッダ３７を固定するもので、戻りヘッダ３７の長手方向の一端側と他端側に配管取付板８と螺着される取付片４０ａ、４０ｂとが設けられている。この取付片４０ａ、４０ｂは固定板４０の端部を折り曲げて固定板４０の中央部４０ｃよりも一段下がった高さに設けられているものである。そして、ヘッダ部３９の終端３９ｂ側の取付片４０ｂは、ヘッダ部３９の終端３９ｂよりも僅かに基端３９ａ側に位置し、ヘッダ部３９を跨ぐ形でヘッダ部３９の短手方向の両側に設けられている。
【００２２】
また、固定板４０の一端側のエルボ部３８に対応する位置にはエルボ部３８を挿通するエルボ挿通穴４０ｄ、中央付近のヘッダ部３９に対応する位置にはヘッダ部３９の上端の一部を挿通させ、ヘッダ部３９の短手方向への移動を規制するヘッダ固定穴４０ｅ、さらに、固定板４０の中央部４０ｃのヘッダ部３９の長手方向に沿った側面には、ヘッダ部３９の側面を押さえる垂下壁４０ｆとが設けられ、ヘッダ固定穴４０ｅの周縁および垂下壁４０ｆの端部によってヘッダ部３９外周が押さえられて短手方向への移動が規制されている。
【００２３】
また、固定板４０のエルボ挿通穴４０ｄとヘッダ固定穴４０ｅの間の、エルボ部３８のフランジ３８ｄおよびヘッダ部３９のフランジ３９ｄの合わせ位置に対応する位置には、両フランジ３８ｄ、３９ｄを組み合わさった状態に維持固定するためのフランジ固定穴４０ｇが設けられ、両フランジ３８ｄ、３９ｄのフランジ面がフランジ固定穴４０ｇの周縁によって押さえられることによって、エルボ部３８とヘッダ部３９の装着状態が維持されるものである。
【００２４】
そして、配管取付板８には、ヘッダ部３９の複数の分岐接続口３９ｃに対応する位置に分岐接続口３９ｃを配管取付板８の下面に挿通させる複数の接続口挿通穴８ａ、エルボ部３８の水抜き栓３８ｅに対応する位置に水抜き栓３８ｅを配管取付板８の下面に挿通させる水抜き栓挿通穴８ｂとが設けられている。
【００２５】
また、配管取付板８のヘッダ部３９の下面に対応する位置は、円筒状のヘッダ部３９に対応するように半円状に下方に窪ませた形状のヘッダ載置面８ｃとされ、ヘッダ載置面８ｃのヘッダ部３９基端３９ａ側は、ヘッダ部３９のフランジ３９ｄのフランジ面が終端３９ｂ側へ移動するのを規制する基端面８ｄが形成されており、また、配管取付板８のヘッダ部３９終端３９ｂ側とヘッダ載置面８ｃとの切断面により、ヘッダ部３９の終端３９ｂ側への移動を規制する終端面８ｅが形成され、さらに配管取付板８の固定板４０の固定片４０ａ、４０ｂに対応する位置に、固定板４０がねじ止めされるためのねじ穴８ｆが設けられている。
【００２６】
そして、図４、図５に示すように、エルボ部３８とヘッダ部３９とが組み合わさった状態で、エルボ部３８の水抜き栓３８ｅが水抜き栓挿通穴８ｂに、ヘッダ部３９の複数の分岐接続口３９ｃが接続口挿通穴８ａに挿通されて、ヘッダ部３９がヘッダ載置面８ｃに載置され、戻りヘッダ３７の上方から固定板４０が、エルボ挿通穴４０ｄをエルボ部３８の接続部３８ｃを挿通し、ヘッダ固定穴４０ｅがヘッダ部３９の上端の一部を挿通し、取付片４０ａ、４０ｂが配管取付板８のねじ穴８ｆにねじ止め固定されることで、戻りヘッダ３７のエルボ部３８とヘッダ部３９との分離を固定板４０のフランジ固定穴４０ｇによって規制できるため従来のようなクイックファスナが不要となり、戻りヘッダ３７と配管取付板８との間の隙間が不要となって分岐接続口３９ｃの配管取付板８からの突出量が多くなると共に、戻りヘッダ３７が配管取付板８に対して強固に固定されるため、分岐接続口３９ｃへの外部配管の接続作業が容易かつ安定的に行えるようになった。
【００２７】
また、ヘッダ載置面８ｃが下方に窪んでいるため、分岐接続口３９ｃがさらに下方に突出すると共に、戻りヘッダ３７の位置規制が一層強固になり、外部配管の接続作業がより一層容易かつ安定的に行える。
【００２８】
なお、本発明は上記の一実施形態に限定されるものではなく、発明の趣旨を変更しない範囲で改変が可能なものであり、本発明を戻りヘッダ３７で説明したが、これに限られず、暖房用熱動弁が一体化されていない通常のヘッダであれば適用可能なものである。
【００２９】
また、本発明をヒートポンプユニットを熱源とした貯湯式給湯暖房装置を用いて説明したが、これに限られず、ガス燃料等の燃焼熱を熱源とした温水暖房装置であってもよいものである。
【符号の説明】
【００３０】
７  筐体
８  配管接続板
８ａ  接続口挿通穴
８ｃ  ヘッダ載置面
８ｆ  ねじ穴
３７  戻りヘッダ
３８  エルボ部
３８ａ  基端
３８ｂ  終端
３８ｃ  接続部
３８ｄ  フランジ
３９  ヘッダ部
３９ａ  基端
３９ｂ  終端
３９ｃ  分岐接続口
３９ｄ  フランジ
４０  固定板
４０ａ  取付片
４０ｂ  取付片
４０ｇ  フランジ固定穴
【図１】
2014016121.tif 000003
【図２】
2014016121.tif 000004
【図３】
2014016121.tif 000005
【図４】
2014016121.tif 000006
【図５】
2014016121.tif 000007